(57)【要約】【課題】個々のユーザの要求に応じた情報を個別に提供する。【解決手段】ユーザ端末１は、ディスプレイＩＤとポイント位置情報とをディスプレイ２から取得し、ユーザ端末ＩＤとディスプレイＩＤとポイント位置情報とを少なくとも含むユーザ端末情報をＩＤ管理サーバ３に送信する。ＩＤ管理サーバ３は、ユーザ端末情報に基づいてディスプレイ２に対するユーザの行動を推測し、ユーザの行動に応じたコンテンツを作成するコンテンツ作成部３１と、ユーザ端末情報に基づいてディスプレイ２を操作しているユーザを割り出し、ユーザの人数に応じてディスプレイ２の表示領域を分割して各ユーザに割り当て、各ユーザに割り当てた表示領域に、それぞれ各ユーザ用のコンテンツを表示させる表示制御部３２とを備える。【選択図】  図１
2010211677.tif 000002
【特許請求の範囲】
【請求項１】
ユーザが所持するユーザ端末と、
画像を表示するディスプレイと、
このディスプレイの表示を制御する管理サーバとから構成され、
前記ユーザ端末は、
前記ディスプレイに固有のディスプレイＩＤと前記ディスプレイの表示領域上の位置を示すポイント位置情報とを前記ディスプレイから取得する情報取得手段と、
前記ユーザ端末に固有のユーザ端末ＩＤと前記ディスプレイＩＤと前記ポイント位置情報とを少なくとも含むユーザ端末情報を前記管理サーバに送信する送信手段とを備え、
前記管理サーバは、
前記ユーザ端末情報を受信する受信手段と、
前記ユーザ端末情報を記憶する記憶手段と、
最新の前記ユーザ端末情報と前記記憶手段に記憶された過去のユーザ端末情報の少なくとも一方に基づいて、前記ディスプレイに対するユーザの行動を推測する行動推測手段と、
前記ユーザの行動に応じたコンテンツをユーザ毎に作成するコンテンツ作成手段と、
最新の前記ユーザ端末情報および前記記憶手段に記憶された過去のユーザ端末情報に基づいて、前記ディスプレイを操作しているユーザを割り出すユーザ特定手段と、
このユーザ特定手段が割り出したユーザの人数に応じて前記ディスプレイの表示領域を分割して各ユーザに割り当て、各ユーザに割り当てた表示領域に、それぞれ各ユーザ用に前記コンテンツ作成手段が作成したコンテンツを表示させる表示制御手段とを備えることを特徴とする情報表示システム。
【請求項２】
ユーザ端末が、ディスプレイに固有のディスプレイＩＤと前記ディスプレイの表示領域上の位置を示すポイント位置情報とを前記ディスプレイから取得する情報取得手順と、
前記ユーザ端末が、ユーザ端末に固有のユーザ端末ＩＤと前記ディスプレイＩＤと前記ポイント位置情報とを少なくとも含むユーザ端末情報を管理サーバに送信する送信手順と、
前記管理サーバが、前記ユーザ端末情報を受信して記憶手段に記憶させる受信手順と、
前記管理サーバが、最新の前記ユーザ端末情報と前記記憶手段に記憶された過去のユーザ端末情報の少なくとも一方に基づいて、前記ディスプレイに対するユーザの行動を推測する行動推測手順と、
前記管理サーバが、前記ユーザの行動に応じたコンテンツをユーザ毎に作成するコンテンツ作成手順と、
前記管理サーバが、最新の前記ユーザ端末情報および前記記憶手段に記憶された過去のユーザ端末情報に基づいて、前記ディスプレイを操作しているユーザを割り出すユーザ特定手順と、
前記管理サーバが、前記ユーザ特定手順で割り出したユーザの人数に応じて前記ディスプレイの表示領域を分割して各ユーザに割り当て、各ユーザに割り当てた表示領域に、それぞれ各ユーザ用に前記コンテンツ作成手段が作成したコンテンツを表示させる表示制御手順とを備えることを特徴とする情報表示方法。
【発明の詳細な説明】
【技術分野】
【０００１】
本発明は、公共の場所等に比較的大型のディスプレイが配置された環境において、複数のユーザが１つのディスプレイを共有して使用できるようにし、ユーザ毎に異なるコンテンツを表示する情報表示システムおよび方法に関するものである。
【背景技術】
【０００２】
従来より、ユーザに適した広告やコンテンツ等の情報を、ユーザの現在位置に近い場所に設置された公共情報ディスプレイに表示するシステムが提案されている（特許文献１参照）。特許文献１に開示されたシステムは、情報配信サーバ装置がユーザの携行する携帯電話などの移動通信端末から現在位置の情報を取得して、その位置に近い場所に設置された公共情報ディスプレイを選択すると共に、情報配信サーバ装置自身が保持する広告情報から当該ユーザに適した広告情報を選択して公共情報ディスプレイに表示するようにしたものである。
【先行技術文献】
【特許文献】
【０００３】
【特許文献１】特許第３９０７９９７号公報
【発明の概要】
【発明が解決しようとする課題】
【０００４】
特許文献１に開示されたシステムでは、個々のユーザの要求に応じた情報を個別に提供することが難しいという問題点があった。したがって、状況や目的の異なる複数のユーザが同時に同じ表示情報に接した場合に、他人の操作による外乱が生じるため、ユーザ個人の意図した表示制御の実現が難しかった。
【０００５】
本発明は、上記課題を解決するためになされたもので、公共の場所等にディスプレイが配置された環境において、個々のユーザの要求に応じた情報を個別に提供することが可能な情報表示システムおよび方法を提供することを目的とする。
【課題を解決するための手段】
【０００６】
本発明の情報表示システムは、ユーザが所持するユーザ端末と、画像を表示するディスプレイと、このディスプレイの表示を制御する管理サーバとから構成され、前記ユーザ端末は、前記ディスプレイに固有のディスプレイＩＤと前記ディスプレイの表示領域上の位置を示すポイント位置情報とを前記ディスプレイから取得する情報取得手段と、前記ユーザ端末に固有のユーザ端末ＩＤと前記ディスプレイＩＤと前記ポイント位置情報とを少なくとも含むユーザ端末情報を前記管理サーバに送信する送信手段とを備え、前記管理サーバは、前記ユーザ端末情報を受信する受信手段と、前記ユーザ端末情報を記憶する記憶手段と、最新の前記ユーザ端末情報と前記記憶手段に記憶された過去のユーザ端末情報の少なくとも一方に基づいて、前記ディスプレイに対するユーザの行動を推測する行動推測手段と、前記ユーザの行動に応じたコンテンツをユーザ毎に作成するコンテンツ作成手段と、最新の前記ユーザ端末情報および前記記憶手段に記憶された過去のユーザ端末情報に基づいて、前記ディスプレイを操作しているユーザを割り出すユーザ特定手段と、このユーザ特定手段が割り出したユーザの人数に応じて前記ディスプレイの表示領域を分割して各ユーザに割り当て、各ユーザに割り当てた表示領域に、それぞれ各ユーザ用に前記コンテンツ作成手段が作成したコンテンツを表示させる表示制御手段とを備えることを特徴とするものである。
【０００７】
また、本発明の情報表示方法は、ユーザ端末が、ディスプレイに固有のディスプレイＩＤと前記ディスプレイの表示領域上の位置を示すポイント位置情報とを前記ディスプレイから取得する情報取得手順と、前記ユーザ端末が、ユーザ端末に固有のユーザ端末ＩＤと前記ディスプレイＩＤと前記ポイント位置情報とを少なくとも含むユーザ端末情報を管理サーバに送信する送信手順と、前記管理サーバが、前記ユーザ端末情報を受信して記憶手段に記憶させる受信手順と、前記管理サーバが、最新の前記ユーザ端末情報と前記記憶手段に記憶された過去のユーザ端末情報の少なくとも一方に基づいて、前記ディスプレイに対するユーザの行動を推測する行動推測手順と、前記管理サーバが、前記ユーザの行動に応じたコンテンツをユーザ毎に作成するコンテンツ作成手順と、前記管理サーバが、最新の前記ユーザ端末情報および前記記憶手段に記憶された過去のユーザ端末情報に基づいて、前記ディスプレイを操作しているユーザを割り出すユーザ特定手順と、前記管理サーバが、前記ユーザ特定手順で割り出したユーザの人数に応じて前記ディスプレイの表示領域を分割して各ユーザに割り当て、各ユーザに割り当てた表示領域に、それぞれ各ユーザ用に前記コンテンツ作成手段が作成したコンテンツを表示させる表示制御手順とを備えることを特徴とするものである。
【発明の効果】
【０００８】
本発明によれば、複数のユーザが、他のユーザの操作の影響を受けることなく、同じディスプレイを利用することができる。また、本発明では、ユーザ端末の情報取得手段がディスプレイの表示領域上の位置を示すポイント位置情報を取得し、このポイント位置情報を含むユーザ端末情報をユーザ端末の送信手段が管理サーバに送信することで、ユーザ側から自由にディスプレイのポイント位置を指示することができる。また、本発明では、ユーザ端末情報を管埋サーバの記憶手段に蓄積することにより、ユーザの行動履歴を利用したコンテンツ表示やコンテンツ操作が可能となる。
【図面の簡単な説明】
【０００９】
【図１】本発明の実施の形態に係る情報表示システムの構成を示すブロック図である。
【図２】本発明の実施の形態に係る情報表示システムのユーザ端末の構成を示すブロック図である。
【図３】本発明の実施の形態に係る情報表示システムのディスプレイの構成を示すブロック図である。
【図４】本発明の実施の形態に係る情報表示システムの動作を示すフローチャートである。
【図５】本発明の実施の形態における情報表示の例を示す図である。
【発明を実施するための形態】
【００１０】
以下、本発明の実施の形態について図面を参照して説明する。図１は本発明の実施の形態に係る情報表示システムの構成を示すブロック図である。情報表示システムは、ユーザが所持する小型のユーザ端末１（１−Ａ，１−Ｂ，１−Ｃ，・・・・，１−Ｎ）と、公共の場所に設置されたディスプレイ２（２−ａ，２−ｂ，２−ｃ，・・・・，２−ｍ）と、ディスプレイ２の表示を制御するＩＤ管理サーバ３とから構成される。
【００１１】
図２はユーザ端末１の構成を示すブロック図である。ユーザ端末１は、画像を撮影するイメージセンサ１０と、ユーザ端末１に固有の識別情報であるユーザ端末ＩＤを記憶する記憶部１１と、ユーザ端末全体を制御する制御部１２と、ユーザ端末情報をＩＤ管理サーバ３に送信する送信部１３と、ユーザ端末１に対するユーザの操作を受け付ける入力部１４とを備えている。イメージセンサ１０と制御部１２とは情報取得手段を構成し、また制御部１２と送信部１３とは送信手段を構成している。
【００１２】
各ユーザ端末１は、それぞれ固有のユーザ端末ＩＤを有する。このユーザ端末ＩＤは、記憶部１１に格納されている。
また、各ユーザ端末１は、それぞれイメージセンサ１０を備えている。このイメージセンサ１０をディスプレイ２に向けることにより、ディスプレイ２に表示された図形や文字等を読み取ることができる。
【００１３】
送信部１３は、無線ＬＡＮ等により、ＩＤ管埋サーバ３と無線通信できる機能を有している。
制御部１２は、イメージセンサ１０が読み取った画像を解析することにより、後述するディスプレイＩＤとポイント位置情報とを取得し、さらに記憶部１１からユーザ端末ＩＤを取得して、ユーザ端末ＩＤとディスプレイＩＤとポイント位置情報と現在時刻を示す時刻情報とからなるユーザ端末情報を送信部１３を通じてＩＤ管理サーバ３に送信する。
【００１４】
後述のように、ユーザがユーザ端末１のイメージセンサ１０を、利用したいディスプレイ２のマーカに向けると、ユーザ端末情報がユーザ端末１からＩＤ管理サーバ３に送信され、以後、ユーザがユーザ端末１を使ってディスプレイ２にコンテンツを表示させたり、コンテンツを操作したりすることが可能になる。本実施の形態では、このようなディスプレイ２に対する行為を「操作」と呼ぶ。
【００１５】
図３はディスプレイ２の構成を示すブロック図である。ディスプレイ２は、ＩＤ管理サーバ３から送信された画像を受信する受信部２０と、例えば液晶パネル等の表示部２１と、受信部２０が受信した画像を表示部２１に表示させる表示制御部２２とを備えている。
【００１６】
各ディスプレイ２には、それぞれ固有の識別情報であるディスプレイＩＤが割り当てられている。このディスプレイＩＤは、ＩＤ管理サーバ３の記憶部３３に格納されている。受信部２０は、無線ＬＡＮ等により、ＩＤ管埋サーバ３と無線通信できる機能を有している。
【００１７】
図１に示すように、ＩＤ管理サーバ３は、ユーザ端末１から送信されたユーザ端末情報を受信する受信部３０と、最新のユーザ端末情報と過去のユーザ端末情報の少なくとも一方に基づいて、ディスプレイ２に対するユーザの行動を推測し、ユーザの行動に応じたコンテンツをユーザ毎に作成するコンテンツ作成部３１と、最新のユーザ端末情報および過去のユーザ端末情報に基づいて、ディスプレイ２を操作しているユーザを割り出し、ユーザの人数に応じてディスプレイ２の表示領域を分割して各ユーザに割り当て、各ユーザに割り当てた表示領域に、それぞれ各ユーザ用にコンテンツ作成部３１が作成したコンテンツを表示させる表示制御部３２と、ユーザ端末情報を記憶する記憶部３３と、ディスプレイ２に画像を送信する送信部３４とを備えている。コンテンツ作成部３１は行動推測手段を構成し、表示制御部３２はユーザ特定手段を構成している。
【００１８】
受信部３０は、ユーザ端末１から送信されるユーザ端末情報（ユーザ端末ＩＤ、ディスプレイＩＤ、ポイント位置情報、時刻情報）を受け取り、このユーザ端末情報を一括して記憶部３３に格納すると共にコンテンツ作成部３１に送る。
送信部３４は、無線ＬＡＮ等により、ディスプレイ２と無線通信できる機能を有している。
【００１９】
コンテンツ作成部３１は、受信部３０から受け取った最新のユーザ端末情報に含まれるユーザ端末ＩＤと同じユーザ端末ＩＤを持つ過去のユーザ端末情報を記憶部３３から検索する。コンテンツ作成部３１は、現在と過去のユーザ端末情報に基づいて、ユーザ向けのメッセージ等のコンテンツを作成する。そして、コンテンツ作成部３１は、受信部３０から受け取ったユーザ端末情報と生成したコンテンツとを表示制御部３２へ送る。
【００２０】
表示制御部３２は、コンテンツ作成部３１から受け取った最新のユーザ端末情報と記憶部３３に格納されているユーザ端末情報に基づいて、現在同じディスプレイ２を操作しているユーザをディスプレイ２毎に割り出す。そして、表示制御部３２は、同じディスプレイ２を操作しているユーザの人数に応じてディスプレイ２の画面を分割し、このディスプレイ２を操作しているユーザ毎に異なる表示領域を割り当てるように画像をディスプレイ２毎に作成する。
【００２１】
このとき、表示制御部３２は、ユーザに割り当てた表示領域に、このユーザ用にコンテンツ作成部３１が作成したコンテンツが表示され、さらに領域の片隅にマーカが表示されるように、画像を作成する。マーカは、マーカ位置情報とディスプレイＩＤとを表す特定のパターン（ＱＲ（Quick Response ）コードやバーコード等）である。そして、表示制御部３２は、ディスプレイ２毎に作成した画像を送信部３４を通じて対象となるディスプレイ２に送信する。
【００２２】
以下、本実施の形態の動作を図４、図５（Ａ）〜図５（Ｃ）を用いて説明する。図４は情報表示システムの動作を示すフローチャート、図５（Ａ）〜図５（Ｃ）は情報表示の例を示す図である。
【００２３】
まず、ＩＤ管理サーバ３のコンテンツ作成部３１は、ディスプレイ２を操作しているユーザがいない状況では、このディスプレイ２の場所や現在時刻等に依存したコンテンツを作成する。表示制御部３２は、コンテンツ作成部３１が作成したコンテンツが表示され、さらに当該ディスプレイ２のディスプレイＩＤとマーカ位置情報とを表すマーカが表示されるように画像を作成し、作成した画像をディスプレイ２に送る。こうして、図５（Ａ）に示すように、ディスプレイ２の画面に、コンテンツ２００とマーカ２０１とが表示される（図４ステップＳ１）。
【００２４】
次に、ユーザ４−Ａは、ユーザ端末１−Ａのイメージセンサ１０を、利用したいディスプレイ２のマーカ２０１に向ける。イメージセンサ１０は、前方の画像を撮影する。ユーザ端末１−Ａの制御部１２は、イメージセンサ１０が読み取った画像を解析することにより、ディスプレイＩＤとポイント位置情報（マーカ位置情報）とを取得し、さらに記憶部１１からユーザ端末ＩＤを取得して、ユーザ端末ＩＤとディスプレイＩＤとポイント位置情報と時刻情報とからなるユーザ端末情報を送信部１３を通じてＩＤ管理サーバ３に送信する（ステップＳ２）。なお、イメージセンサ１０の視野角は一般に３０度程度あるいはそれ以上あるので、制御部１２は、イメージセンサ１０がマーカ２０１を向いていない場合でも、ディスプレイ画面上のポイント位置を画像解析で認識することが可能である。
【００２５】
ＩＤ管理サーバ３の受信部３０は、ユーザ端末１−Ａから送信されたユーザ端末情報を受け取り、このユーザ端末情報を記憶部３３に格納すると共にコンテンツ作成部３１に送る（ステップＳ３）。なお、本実施の形態では、ユーザ端末１−Ａが時刻情報を送信するようにしているが、これに限るものではない。ユーザ端末１−Ａ側では、上記のユーザ端末情報のうち時刻情報を除いた情報をＩＤ管理サーバ３に送信し、受信部３０がユーザ端末情報を受信したときの時刻情報をユーザ端末情報に加えるようにしてもよい。
【００２６】
続いて、ＩＤ管理サーバ３のコンテンツ作成部３１は、受信部３０から受け取った最新のユーザ端末情報に含まれるユーザ端末ＩＤと同じユーザ端末ＩＤを持つ過去のユーザ端末情報を記憶部３３から検索する。コンテンツ作成部３１は、これらのユーザ端末情報に基づいて、ユーザの行動（ユーザがどのディスプレイ２をいつどのように操作したか等）とその行動の過去の履歴を推測し（ステップＳ４）、ユーザの行動に応じたコンテンツを作成する（ステップＳ５）。
【００２７】
例えば、コンテンツ作成部３１は、過去のユーザ端末情報に含まれるディスプレイＩＤと最新のユーザ端末情報に含まれるディスプレイＩＤとから、このユーザの移動距離を算出し、算出した移動距離が例えば５ｋｍであるとすれば、「５ｋｍ移動しました」というようなメッセージ（コンテンツ）を作成する。また、コンテンツ作成部３１は、最新のユーザ端末情報に含まれる時刻情報に応じて、気温や天気などの天候情報を例えばインターネットから検索し、天候情報を表すコンテンツを作成してもよい。コンテンツ作成部３１は、以上のようなコンテンツ作成を、ユーザ毎（ユーザ端末ＩＤ毎）に行う。
【００２８】
ＩＤ管理サーバ３の表示制御部３２は、コンテンツ作成部３１から受け取った最新のユーザ端末情報と記憶部３３に格納されているユーザ端末情報に基づいて、現在同じディスプレイ２を操作しているユーザをディスプレイ２毎に割り出す（ステップＳ６）。表示制御部３２は、ユーザ端末情報をいったん受信した後は、このユーザ端末情報とユーザ端末ＩＤが同一でディスプレイＩＤが異なるユーザ端末情報を受信するまで、ディスプレイＩＤに変化はないものとし、このディスプレイＩＤに対応するディスプレイ２をユーザが操作しているものと見なす。また、表示制御部３２は、ユーザ端末情報をいったん受信した後に、一定期間以上経過しても、このユーザ端末情報と同一のユーザ端末ＩＤを含むユーザ端末情報を新たに受信できない場合には、ディスプレイＩＤに対応するディスプレイ２の場所からユーザが離れたと見なしてもよい。こうして、表示制御部３２は、ディスプレイ２を操作しているユーザをディスプレイ２毎に割り出す。
【００２９】
そして、表示制御部３２は、ディスプレイ２を操作しているユーザの人数に応じてディスプレイ２の表示領域を分割して各ユーザに割り当て、各ユーザに割り当てた表示領域に、それぞれ各ユーザ用にコンテンツ作成部３１が作成したコンテンツが表示されると同時に、表示領域の片隅にマーカが表示されるように画像を作成して、ディスプレイ２に送る（ステップＳ７）。表示制御部３２は、このような画像の作成・送信をディスプレイ２毎に行う。こうして、各ディスプレイ２にユーザに応じた画像が表示される（ステップＳ８）。
【００３０】
例えば、ユーザ４−Ａだけがディスプレイ２を操作しているときは、図５（Ｂ）に示すように、ディスプレイ２の全表示領域がユーザ４−Ａに割り当てられる。図５（Ｂ）における２０２は、ユーザ４−Ａに応じたコンテンツである。
【００３１】
次に、ユーザ４−Ｂがユーザ端末１−Ｂのイメージセンサ１０をディスプレイ２のマーカ２０１に向けると、ステップＳ２以降の処理が実行される。ＩＤ管理サーバ３のコンテンツ作成部３１は、ユーザ４−Ａ用のコンテンツだけでなく、ユーザ４−Ｂ用のコンテンツも作成する（ステップＳ５）。表示制御部３２は、ディスプレイ２を操作しているユーザの人数を２名とし（ステップＳ６）、ディスプレイ２の表示領域を２分割し、分割した表示領域にそれぞれのユーザ４−Ａ，４−Ｂに対応する異なるマーカと異なるコンテンツとを表示させる（ステップＳ７，Ｓ８）。
【００３２】
図５（Ｃ）の例では、ディスプレイ２の表示領域は２０３−Ａ，２０３−Ｂの２つに分割される。表示領域２０３−Ａには、片隅にマーカ２０４−Ａが表示され、さらにユーザ４−Ａ用に作成されたコンテンツ２０５−Ａが表示される。表示領域２０３−Ｂには、片隅にマーカ２０４−Ｂが表示され、さらにユーザ４−Ｂ用に作成されたコンテンツ２０５−Ｂが表示される。マーカ２０４−Ｂが表すディスプレイＩＤは、マーカ２０４−Ａが表すディスプレイＩＤと同一である。ただし、マーカ２０４−Ｂが表すポイント位置情報（マーカ位置情報）は、マーカ２０４−Ａが表すポイント位置情報（マーカ位置情報）とは異なる。
【００３３】
また、ユーザ４−Ａまたは４−Ｂが、ユーザ端末１−Ａ，１−Ｂのイメージセンサ１０をマーカ以外の別の場所に向けると、ＩＤ管理サーバ３のコンテンツ作成部３１は、そのユーザの行動に応じたコンテンツを作成する。例えばユーザ４−Ａがユーザ端末１−Ａのイメージセンサ１０をコンテンツ２０５−Ａに向けると、イメージセンサ１０のセンシング方向のポイント位置情報が取得される。このとき、ユーザ４−Ａがユーザ端末１−Ａの入力部１４を操作すると（クリック）、コンテンツ作成部３１は、ポイント位置情報で指定される箇所をユーザ４−Ａが選択したものと見なし、この選択に応じたコンテンツを作成する。
【００３４】
また、ユーザ４−Ａが上記のように入力部１４を操作したままユーザ端末１−Ａを動かすと、所謂ドラッグ操作をしたことになり、コンテンツ作成部３１は、ユーザ端末１−Ａの移動に応じたポイント位置情報の変化に応じてコンテンツを移動させる。さらに、ユーザ４−Ａがドラッグ操作をした後に入力部１４の操作を止めると、所謂ドロップ操作をしたことになり、コンテンツ作成部３１は、このとき得られたポイント位置情報で指定される箇所でコンテンツを停止させる。こうして、各ユーザは、コンテンツを操作することができる。なお、コンテンツ作成部３１は、ポイント位置情報で指定される箇所にカーソルを表示させるようにしてもよい。
【００３５】
ＩＤ管理サーバ３は、ディスプレイ２を操作しているユーザがいないと見なした場合には、ステップＳ１に戻り、ディスプレイ２を操作しているユーザがいる場合には、ステップＳ２に戻る。
【００３６】
以上のように、本実施の形態では、複数のユーザが、他のユーザの操作の影響を受けることなく、同じディスプレイを利用することができる。また、本実施の形態では、ディスプレイの一部に表示されたマーカを、ユーザ端末のイメージセンサで検知することで、ユーザ側から自由にディスプレイのポイント位置を指示することができる。また、本実施の形態では、ユーザ端末ＩＤとディスプレイＩＤとポイント位置情報と時刻等をＩＤ管埋サーバの記憶部に蓄積することにより、ユーザの行動履歴を利用したコンテンツ表示やコンテンツ操作が可能となる。
【００３７】
なお、本実施の形態では、ディスプレイ２の表示領域の割当をユーザ毎に行っているが、これに限るものではない。例えば各ユーザに属性を割り当て、同じ属性を有する複数のユーザを同じグループに属するものとして、グループ毎に表示領域を割り当てるようにしてもよい。この場合、同じグループに属するユーザは、１つの表示領域を共有することになる。ユーザ毎の属性はＩＤ管理サーバ３の記憶部３３に格納しておき、表示制御部３２が各ユーザの属するグループを判断する。また、表示制御部３２は、同じディスプレイ２を操作しているユーザが同じグループに属している場合、これらのユーザ用にコンテンツ作成部３１が作成したコンテンツを合成した上で、グループに対応する表示領域に画像を表示させる。
また、ディスプレイに表示されている映像によっては、バーコードよりもＱＲコードの方が認識誤りが少ない場合や、逆にＱＲコードよりもバーコードの方が認識誤りが少ない場合が考えられる。そこで、コンテンツの状態に応じてマーカを変更するようにしてもよい。
また、ディスプレイ上では、マーカ近くの領域の方が位置認識精度が高いと思われるので、ユーザに対し、数多くの選択肢の中からいずれかを選択させるような操作を要請する場合、選択肢の近くにマーカを移動させた方が好都合な場合がある。そこで、このような場合にマーカを移動させてもよい。
【００３８】
本実施の形態において、ユーザ端末１とＩＤ管理サーバ３の少なくとも一部の構成は、それぞれＣＰＵ、記憶装置および外部とのインタフェースを備えたコンピュータと、これらのハードウェア資源を制御するプログラムによって実現することができる。ユーザ端末１とＩＤ管理サーバ３を構成するそれぞれのコンピュータにおいて、本発明の情報表示方法を実現させるためのプログラムは、フレキシブルディスク、ＣＤ−ＲＯＭ、ＤＶＤ−ＲＯＭ、メモリカードなどの記録媒体に記録された状態で提供され、コンピュータの記憶装置に格納される。各々のコンピュータのＣＰＵは、記憶装置に格納されたプログラムに従って本実施の形態で説明した処理を実行する。
【産業上の利用可能性】
【００３９】
本発明は、複数のユーザが１つのディスプレイを共有して使用できるようにし、ユーザ毎に異なるコンテンツを表示する技術に適用することができる。
【符号の説明】
【００４０】
１…ユーザ端末、２…ディスプレイ、３…ＩＤ管理サーバ、１０…イメージセンサ、１１…記憶部、１２…制御部、１３…送信部、１４…入力部、２０…受信部、２１…表示部、２２…表示制御部、３０…受信部、３１…コンテンツ作成部、３２…表示制御部、３３…記憶部、３４…送信部。
【図１】
2010211677.tif 000003
【図２】
2010211677.tif 000004
【図３】
2010211677.tif 000005
【図４】
2010211677.tif 000006
【図５】
2010211677.tif 000007